(57)【要約】      （修正有）【課題】効率の向上、低い駆動電圧および／または寿命特性の向上が実現できる有機発光素子を提供する。【解決手段】アノード１０１と、特定のアリールアミン化合物を含む第１有機物層２０１と、下記化学式の化合物を含む第２有機物層２０２と、発光層３０１と、カソード４０１とを含む有機発光素子。2020098916.tif 000088【選択図】図１
2020098916.tif 000002
【特許請求の範囲】
【請求項１】
カソードと、
アノードと、
前記カソードと前記アノードとの間に備えられた発光層と、
前記アノードと前記発光層との間に備えられ、下記具体例から選択される化合物を含む第１有機物層と、
【化Ａ】
2020098916.tif 000074
【化Ｂ】
2020098916.tif 000075
【化Ｃ】
2020098916.tif 000076
【化Ｄ】
2020098916.tif 000077
【化Ｅ】
2020098916.tif 000078
前記第１有機物層と前記発光層との間に備えられ、下記化学式２の化合物を含む第２有機物層と
を含む
有機発光素子：
［化学式２］
【化２】
2020098916.tif 000079
化学式２において、
Ａｒ７およびＡｒ８は、互いに同一または異なり、それぞれ独立に、置換もしくは非置換のアリール基；または置換もしくは非置換のヘテロアリール基であり、
Ｒ１およびＲ２は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であるか、互いに結合して単環もしくは多環の芳香族または脂肪族の炭化水素環またはヘテロ環を形成し、
Ｒ３およびＲ４は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｅは、０〜４の整数であり、ｅが２以上の場合、Ｒ３は、互いに同一または異なり、ｆは、０〜３の整数であり、ｆが２以上の場合、Ｒ４は、互いに同一または異なる。
【請求項２】
前記化学式２は、下記化学式１１で表されるものである、
請求項１に記載の有機発光素子：
［化学式１１］
【化１６】
2020098916.tif 000080
化学式１１の置換基は、化学式２で定義した通りである。
【請求項３】
前記化学式２は、下記化学式１２で表されるものである、
請求項１に記載の有機発光素子：
［化学式１２］
【化１７】
2020098916.tif 000081
化学式１２において、Ｒ３、Ｒ４、Ａｒ７、Ａｒ８、ｅおよびｆは、化学式２で定義した通りであり、Ｒ５は、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｘは、０〜８の整数であり、ｘが２以上の場合、Ｒ５は、互いに同一または異なる。
【請求項４】
前記化学式２は、下記具体例から選択されるものである、
請求項１に記載の有機発光素子：
【化１８】
2020098916.tif 000082
【化２０】
2020098916.tif 000083
【化１９】
2020098916.tif 000084
【化２１】
2020098916.tif 000085
【化２２】
2020098916.tif 000086
【化２３】
2020098916.tif 000087
。
【請求項５】
前記第１有機物層は、正孔輸送層であり、
前記第２有機物層は、電子阻止層である、
請求項１から４のいずれか一項に記載の有機発光素子。
【発明の詳細な説明】
【技術分野】
【０００１】
本出願は、２０１６年５月２７日付で韓国特許庁に出願された韓国特許出願第１０−２０１６−００６５９７０号に基づく優先権の利益を主張し、当該韓国特許出願の文献に開示されたすべての内容は本明細書の一部として組み込まれる。
【０００２】
本明細書は、有機発光素子に関する。
【背景技術】
【０００３】
一般的に、有機発光現象とは、有機物質を用いて電気エネルギーを光エネルギーに変換させる現象をいう。有機発光現象を利用する有機発光素子は、通常、陽極および陰極と、それらの間に有機物層とを含む構造を有する。ここで、有機物層は、有機発光素子の効率と安定性を高めるためにそれぞれ異なる物質で構成された多層の構造からなる場合が多く、例えば、正孔注入層、正孔輸送層、発光層、電子輸送層、電子注入層などからなる。このような有機発光素子の構造において、２つの電極の間に電圧をかけると、陽極からは正孔が、陰極からは電子が有機物層に注入され、注入された正孔と電子が接した時、エキシトン（ｅｘｃｉｔｏｎ）が形成され、このエキシトンが再び基底状態に落ちる時に光を発する。
【０００４】
前記のような有機発光素子のための新たな材料の開発が求められ続けている。
【先行技術文献】
【特許文献】
【０００５】
【特許文献１】米国特許出願公開第２００４−０２５１８１６号
【発明の概要】
【発明が解決しようとする課題】
【０００６】
本明細書は、特定の材料を用いる有機発光素子を提供する。
【課題を解決するための手段】
【０００７】
本明細書の一実施態様は、カソードと、アノードと、前記カソードと前記アノードとの間に備えられた発光層と、前記アノードと前記発光層との間に備えられ、下記化学式１の化合物を含む第１有機物層と、前記第１有機物層と前記発光層との間に備えられ、下記化学式２の化合物を含む第２有機物層とを含む有機発光素子を提供する：
［化学式１］
【化１】
2020098916.tif 000003
化学式１において、
Ｌ１〜Ｌ３は、互いに同一または異なり、それぞれ独立に、直接結合；置換もしくは非置換のアリーレン基；または置換もしくは非置換のヘテロアリーレン基であり、ａ〜ｃは、それぞれ０〜３の整数であり、ａ〜ｃがそれぞれ２以上の場合、括弧内の構造は、互いに同一または異なり、
Ａｒ１〜Ａｒ６は、互いに同一または異なり、それぞれ独立に、置換もしくは非置換のアリール基；または置換もしくは非置換のヘテロアリール基であるか、Ａｒ１とＡｒ２；Ａｒ３とＡｒ４；Ａｒ５とＡｒ６；Ａｒ１とＬ１；Ａｒ３とＬ２；またはＡｒ５とＬ３とが互いに結合して単環もしくは多環の芳香族または脂肪族の炭化水素環またはヘテロ環を形成し、ｌ〜ｎは、それぞれ０〜２の整数であり、ｌ〜ｎがそれぞれ２の場合、括弧内の構造は、互いに同一または異なり、ｌ〜ｎがそれぞれ０の場合、Ｌ１〜Ｌ３にはそれぞれ−ＮＡｒ１Ａｒ２、−ＮＡｒ３Ａｒ４、および−ＮＡｒ５Ａｒ６の代わりに水素が結合し、
Ｘは、ＮＲ'；Ｏ；またはＳであり、ｐは、０または１であり、ｐが０の場合、Ｘに結合した２個の炭素が直接結合し、
ＲおよびＲ'は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基である。
［化学式２］
【化２】
2020098916.tif 000004
化学式２において、
Ａｒ７およびＡｒ８は、互いに同一または異なり、それぞれ独立に、置換もしくは非置換のアリール基；または置換もしくは非置換のヘテロアリール基であり、
Ｒ１およびＲ２は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であるか、互いに結合して単環もしくは多環の芳香族または脂肪族の炭化水素環またはヘテロ環を形成し、
Ｒ３およびＲ４は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｅは、０〜４の整数であり、ｅが２以上の場合、Ｒ３は、互いに同一または異なり、ｆは、０〜３の整数であり、ｆが２以上の場合、Ｒ４は、互いに同一または異なる。
【発明の効果】
【０００８】
本明細書の一実施態様に係る有機発光素子は、前述した第１有機物層および第２有機物層がアノードと発光層に位置することにより、有機発光素子において効率の向上、低い駆動電圧および／または寿命特性の向上が可能である。
【図面の簡単な説明】
【０００９】
【図１】本明細書の一実施態様に係る有機発光素子の積層構造を例示するものである。
【図２】本明細書のもう一つの実施態様に係る有機発光素子の積層構造を例示するものである。
【発明を実施するための形態】
【００１０】
以下、本明細書についてより詳細に説明する。
【００１１】
本明細書の一実施態様に係る有機発光素子は、カソードと、アノードと、前記カソードと前記アノードとの間に備えられた発光層と、前記アノードと前記発光層との間に備えられ、前記化学式１の化合物を含む第１有機物層と、前記第１有機物層と前記発光層との間に備えられ、前記化学式２の化合物を含む第２有機物層とを含むことを特徴とする。
【００１２】
本明細書において、ある部分がある構成要素を「含む」とする時、これは、特に反対の記載がない限り、他の構成要素を除くのではなく、他の構成要素をさらに包含できることを意味する。
【００１３】
本明細書において、ある部材が他の部材の「上に」位置しているとする時、これは、ある部材が他の部材に接している場合のみならず、２つの部材の間にさらに他の部材が存在する場合も含む。
【００１４】
本明細書において、置換基の例示は以下に説明するが、これに限定されるものではない。
【００１５】
前記「置換」という用語は、化合物の炭素原子に結合した水素原子が他の置換基に変わることを意味し、置換される位置は、水素原子の置換される位置、すなわち置換基が置換可能な位置であれば限定せず、２以上置換される場合、２以上の置換基は、互いに同一でも異なっていてもよい。
【００１６】
本明細書において、「置換もしくは非置換の」という用語は、重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のホウ素基；置換もしくは非置換のアミン基；置換もしくは非置換のアリール基；および置換もしくは非置換のヘテロ環基からなる群より選択された１または２以上の置換基で置換されているか、前記例示された置換基のうち２以上の置換基が連結された置換基で置換されるか、もしくはいずれの置換基も有しないことを意味する。例えば、「２以上の置換基が連結された置換基」は、アリール基で置換されたアリール基、ヘテロアリール基で置換されたアリール基、アリール基で置換されたヘテロ環基、アルキル基で置換されたアリール基などであってもよい。
【００１７】
本明細書において、前記アルキル基は、直鎖もしくは分枝鎖であってもよく、炭素数は特に限定されないが、１〜３０のものが好ましい。具体例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されるものではない。
【００１８】
本明細書において、シクロアルキル基は特に限定されないが、炭素数３〜３０のものが好ましく、具体的には、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これらに限定されるものではない。
【００１９】
本明細書において、前記アルコキシ基は、直鎖、分枝鎖もしくは環鎖であってもよい。アルコキシ基の炭素数は特に限定されないが、炭素数１〜３０のものが好ましい。具体的には、メトキシ、エトキシ、ｎ−プロポキシ、イソプロポキシ、ｉ−プロピルオキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどになってもよいが、これらに限定されるものではない。
【００２０】
本明細書において、アミン基は、−ＮＨ２；アルキルアミン基；Ｎ−アルキルアリールアミン基；アリールアミン基；Ｎ−アリールヘテロアリールアミン基；Ｎ−アルキルヘテロアリールアミン基およびヘテロアリールアミン基からなる群より選択されてもよいし、炭素数は特に限定されないが、１〜３０のものが好ましい。アミン基の具体例としては、メチルアミン基、ジメチルアミン基、エチルアミン基、ジエチルアミン基、フェニルアミン基、ナフチルアミン基、ビフェニルアミン基、アントラセニルアミン基、９−メチル−アントラセニルアミン基、ジフェニルアミン基、Ｎ−フェニルナフチルアミン基、ジトリルアミン基、Ｎ−フェニルトリルアミン基、トリフェニルアミン基、Ｎ−フェニルビフェニルアミン基；Ｎ−フェニルナフチルアミン基；Ｎ−ビフェニルナフチルアミン基；Ｎ−ナフチルフルオレニルアミン基；Ｎ−フェニルフェナントレニルアミン基；Ｎ−ビフェニルフェナントレニルアミン基；Ｎ−フェニルフルオレニルアミン基；Ｎ−フェニルターフェニルアミン基；Ｎ−フェナントレニルフルオレニルアミン基；Ｎ−ビフェニルフルオレニルアミン基などがあるが、これらに限定されるものではない。
【００２１】
本明細書において、Ｎ−アルキルアリールアミン基は、アミン基のＮにアルキル基およびアリール基が置換されたアミン基を意味する。
【００２２】
本明細書において、Ｎ−アリールヘテロアリールアミン基は、アミン基のＮにアリール基およびヘテロアリール基が置換されたアミン基を意味する。
【００２３】
本明細書において、Ｎ−アルキルヘテロアリールアミン基は、アミン基のＮにアルキル基およびヘテロアリールアミン基が置換されたアミン基を意味する。
【００２４】
本明細書において、アルキルアミン基、Ｎ−アリールアルキルアミン基、アルキルチオキシ基、アルキルスルホキシ基、Ｎ−アルキルヘテロアリールアミン基中のアルキル基は、前述したアルキル基の例示の通りである。
【００２５】
本明細書において、前記アルケニル基は、直鎖もしくは分枝鎖であってもよく、炭素数は特に限定されないが、２〜３０のものが好ましい。具体例としては、ビニル、１−プロペニル、イソプロペニル、１−ブテニル、２−ブテニル、３−ブテニル、１−ペンテニル、２−ペンテニル、３−ペンテニル、３−メチル−１−ブテニル、１，３−ブタジエニル、アリル、１−フェニルビニル−１−イル、２−フェニルビニル−１−イル、２，２−ジフェニルビニル−１−イル、２−フェニル−２−（ナフチル−１−イル）ビニル−１−イル、２，２−ビス（ジフェニル−１−イル）ビニル−１−イル、スチルベニル基、スチレニル基などがあるが、これらに限定されるものではない。
【００２６】
本明細書において、シリル基は、具体的には、トリメチルシリル基、トリエチルシリル基、ｔ−ブチルジメチルシリル基、ビニルジメチルシリル基、プロピルジメチルシリル基、トリフェニルシリル基、ジフェニルシリル基、フェニルシリル基などがあるが、これらに限定されるものではない。
【００２７】
本明細書において、アリール基は特に限定されないが、炭素数６〜３０のものが好ましく、前記アリール基は、単環式もしくは多環式であってもよい。
【００２８】
前記アリール基が単環式アリール基の場合、炭素数は特に限定されないが、炭素数６〜３０のものが好ましい。具体的には、単環式アリール基としては、フェニル基、ビフェニル基、ターフェニル基などになってもよいが、これらに限定されるものではない。
【００２９】
前記アリール基が多環式アリール基の場合、炭素数は特に限定されないが、炭素数１０〜３０のものが好ましい。具体的には、多環式アリール基としては、ナフチル基、アントラセニル基、フェナントリル基、トリフェニル基、ピレニル基、フェナレニル基、ペリレニル基、クリセニル基、フルオレニル基などになってもよいが、これらに限定されるものではない。
【００３０】
本明細書において、前記フルオレニル基は置換されていてもよいし、隣接した基が互いに結合して環を形成してもよい。
【００３１】
前記フルオレニル基が置換される場合、
【化３】
2020098916.tif 000005
などになってもよい。ただし、これらに限定されるものではない。
【００３２】
本明細書において、アリールアミン基の例としては、置換もしくは非置換のモノアリールアミン基、置換もしくは非置換のジアリールアミン基、または置換もしくは非置換のトリアリールアミン基がある。前記アリールアミン基中のアリール基は、単環式アリール基であってもよく、多環式アリール基であってもよい。前記アリール基が２以上を含むアリールアミン基は、単環式アリール基、多環式アリール基、または単環式アリール基と多環式アリール基を同時に含んでもよい。例えば、前記アリールアミン基中のアリール基は、前述したアリール基の例示の中から選択されてもよい。
【００３３】
本明細書において、アリールオキシ基、Ｎ−アリールアルキルアミン基、およびＮ−アリールヘテロアリールアミン基中のアリール基は、前述したアリール基の例示の通りである。具体的には、アリールオキシ基としては、フェノキシ基、ｐ−トリルオキシ基、ｍ−トリルオキシ基、３，５−ジメチル−フェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、３−フェナントリルオキシ基、９−フェナントリルオキシ基などがある。
【００３４】
本明細書において、ヘテロアリール基は、炭素でない原子、異種原子を１以上含むものであって、具体的には、前記異種原子は、Ｏ、Ｎ、Ｓｅ、およびＳなどからなる群より選択される原子を１以上含むことができる。炭素数は特に限定されないが、炭素数２〜３０のものが好ましく、前記ヘテロアリール基は、単環式もしくは多環式であってもよい。ヘテロ環基の例としては、チオフェン基、フラニル基、ピロール基、イミダゾリル基、チアゾリル基、オキサゾリル基、オキサジアゾリル基、ピリジル基、ビピリジル基、ピリミジル基、トリアジニル基、トリアゾリル基、アクリジル基、ピリダジニル基、ピラジニル基、キノリニル基、キナゾリニル基、キノキサリニル基、フタラジニル基、ピリドピリミジル基、ピリドピラジニル基、ピラジノピラジニル基、イソキノリニル基、インドリル基、カルバゾリル基、ベンズオキサゾリル基、ベンズイミダゾリル基、ベンゾチアゾリル基、ベンゾカルバゾリル基、ベンゾチオフェン基、ジベンゾチオフェン基、ベンゾフラニル基、フェナントロリニル基（ｐｈｅｎａｎｔｈｒｏｌｉｎｅ）、チアゾリル基、イソオキサゾリル基、オキサジアゾリル基、チアジアゾリル基、ベンゾチアゾリル基、フェノチアジニル基、およびジベンゾフラニル基などがあるが、これらに限定されるものではない。
【００３５】
本明細書において、ヘテロアリールアミン基の例としては、置換もしくは非置換のモノヘテロアリールアミン基、置換もしくは非置換のジヘテロアリールアミン基、または置換もしくは非置換のトリヘテロアリールアミン基がある。前記ヘテロアリール基が２以上を含むヘテロアリールアミン基は、単環式ヘテロアリール基、多環式ヘテロアリール基、または単環式ヘテロアリール基と多環式ヘテロアリール基を同時に含んでもよい。例えば、前記ヘテロアリールアミン基中のヘテロアリール基は、前述したヘテロアリール基の例示の中から選択されてもよい。
【００３６】
本明細書において、Ｎ−アリールヘテロアリールアミン基およびＮ−アルキルヘテロアリールアミン基中のヘテロアリール基の例示は、前述したヘテロアリール基の例示の通りである。
【００３７】
明細書において、アリーレン基は、２価の基であることを除けば、前述したアリール基の説明が適用可能である。
【００３８】
本明細書において、ヘテロアリーレン基は、２価の基であることを除けば、前述したヘテロアリール基の説明が適用可能である。
【００３９】
本明細書において、炭化水素環は、芳香族、脂肪族、または芳香族と脂肪族との縮合環であってもよいし、前記１価でないものを除き、前記シクロアルキル基またはアリール基の例示の中から選択されてもよい。
【００４０】
本明細書において、芳香族環は、単環もしくは多環であってもよいし、１価でないものを除き、前記アリール基の例示の中から選択されてもよい。
【００４１】
本明細書において、ヘテロ環は、炭素でない原子、異種原子を１以上含むものであって、具体的には、前記異種原子は、Ｏ、Ｎ、Ｓｅ、およびＳなどからなる群より選択される原子を１以上含むことができる。前記ヘテロ環は、単環もしくは多環であってもよいし、芳香族、脂肪族、または芳香族と脂肪族との縮合環であってもよいし、１価でないものを除き、前記ヘテロアリール基の例示の中から選択されてもよい。
【００４２】
本明細書のもう一つの実施態様によれば、前記化学式１のｌ＋ｍ＋ｎは、１以上である。
【００４３】
本明細書のもう一つの実施態様によれば、前記化学式１のｍ＋ｎは、１以上である。
【００４４】
本明細書のもう一つの実施態様によれば、前記化学式１のｐは、０である。
【００４５】
本明細書のもう一つの実施態様によれば、前記化学式１のａは、１〜３の整数である。
【００４６】
本明細書の一実施態様によれば、前記化学式１は、下記化学式３で表されてもよい。
［化学式３］
【化４】
2020098916.tif 000006
【００４７】
化学式３において、置換基は、化学式１で定義した通りである。
【００４８】
本明細書の一実施態様によれば、前記化学式１において、−ＮＡｒ１Ａｒ２、−ＮＡｒ３Ａｒ４、および−ＮＡｒ５Ａｒ６のうちの少なくとも１つは、下記構造式で表されてもよい。
【化５】
2020098916.tif 000007
前記構造式において、
Ｘａは、ＮＲｃ；Ｏ；またはＳであり、ｒは、０または１であり、ｒが０の場合、Ｘａに結合した２個の炭素が直接結合し、
ＲａおよびＲｃは、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｇは、０〜８の整数であり、ｇが２以上の場合、Ｒａは、互いに同一または異なる。
【００４９】
本明細書の一実施態様によれば、前記化学式１は、下記化学式４で表されてもよい。
［化学式４］
【化６】
2020098916.tif 000008
化学式４において、Ａｒ１、Ａｒ２、Ｌ１〜Ｌ３、Ｒ、Ｘ、ａ、ｂ、ｃ、ｄ、ｌおよびｐは、化学式１で定義した通りであり、
ＸａおよびＸｂは、互いに同一または異なり、それぞれ独立に、ＮＲｃ；Ｏ；またはＳであり、ｒおよびｑは、それぞれ０または１であり、ｒおよびｑがそれぞれ０の場合、ＸａおよびＸｂそれぞれに結合した２個の炭素が直接結合し、
Ｒａ〜Ｒｃは、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｇおよびｈは、それぞれ０〜８の整数であり、ｇまたはｈが２以上の場合、括弧内の構造は、互いに同一または異なる。
【００５０】
本明細書の一実施態様によれば、前記化学式１は、下記化学式５で表されてもよい。
［化学式５］
【化７】
2020098916.tif 000009
化学式５の置換基は、化学式４で定義した通りである。
【００５１】
本明細書の一実施態様によれば、前記化学式１において、−（Ｌ１）ａ−ＮＡｒ１Ａｒ２、−（Ｌ２）ｂ−ＮＡｒ３Ａｒ４、および−（Ｌ３）ｃ−ＮＡｒ５Ａｒ６のうちの少なくとも１つは、下記構造式で表されてもよい。
【化８】
2020098916.tif 000010
前記構造式において、Ｌ４は、直接結合；置換もしくは非置換のアリーレン基；または置換もしくは非置換のヘテロアリーレン基であり、ｉは、０〜２の整数であり、ｉが２の場合、Ｌ４は、互いに同一または異なり、Ａｒ９は、置換もしくは非置換のアリール基；または置換もしくは非置換のヘテロアリール基であり、Ｒｄは、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｋは、０〜７の整数であり、ｋが２以上の場合、Ｒｄは、互いに同一または異なる。
【００５２】
本明細書の一実施態様によれば、前記化学式１は、下記化学式６で表されてもよい。
［化学式６］
【化９】
2020098916.tif 000011
化学式６において、
Ｌ４およびＬ５は、互いに同一または異なり、それぞれ独立に、直接結合；置換もしくは非置換のアリーレン基；または置換もしくは非置換のヘテロアリーレン基であり、ｉおよびｊは、それぞれ０〜２の整数であり、ｉおよびｊがそれぞれ２の場合、括弧内の構造は、互いに同一または異なり、Ａｒ９およびＡｒ１０は、互いに同一または異なり、独立に、置換もしくは非置換のアリール基；または置換もしくは非置換のヘテロアリール基であり、ＲｄおよびＲｅは、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｋおよびｏは、それぞれ０〜７の整数であり、ｋまたはｏが２以上の場合、括弧内の構造は、互いに同一または異なる。
【００５３】
本明細書の一実施態様によれば、前記化学式１は、下記化学式７で表されてもよい。
［化学式７］
【化１０】
2020098916.tif 000012
化学式７の置換基は、化学式６で定義した通りである。
【００５４】
本出願の一実施態様によれば、Ｌ１〜Ｌ３は、互いに同一または異なり、それぞれ独立に、直接結合；アリーレン基；またはヘテロアリーレン基である。
【００５５】
本出願の一実施態様によれば、Ｌ１〜Ｌ３は、互いに同一または異なり、それぞれ独立に、直接結合；またはアリーレン基である。
【００５６】
本出願の一実施態様によれば、Ｌ１〜Ｌ３は、互いに同一または異なり、それぞれ独立に、直接結合；フェニレン基；またはナフチレン基である。
【００５７】
本出願の一実施態様によれば、Ｌ１〜Ｌ３は、互いに同一または異なり、それぞれ独立に、直接結合；またはフェニレン基である。
【００５８】
本出願の一実施態様によれば、Ｌ１〜Ｌ３は、互いに同一または異なり、それぞれ独立に、直接結合；またはフェニレン基であり、ａ〜ｃは、それぞれ０〜２の整数である。
【００５９】
本出願の一実施態様によれば、Ａｒ１〜Ａｒ６は、互いに同一または異なり、それぞれ独立に、置換もしくは非置換のアリール基；または置換もしくは非置換のヘテロアリール基である。
【００６０】
本出願の一実施態様によれば、Ａｒ１〜Ａｒ６は、互いに同一または異なり、それぞれ独立に、アルキル基で置換もしくは非置換のアリール基；またはアルキル基で置換もしくは非置換のヘテロアリール基である。
【００６１】
本出願の一実施態様によれば、Ａｒ１〜Ａｒ６は、互いに同一または異なり、それぞれ独立に、アルキル基で置換もしくは非置換のアリール基である。
【００６２】
本出願の一実施態様によれば、Ａｒ１〜Ａｒ６は、互いに同一または異なり、それぞれ独立に、フェニル基、ビフェニリル基、またはターフェニリル基である。
【００６３】
本出願の一実施態様によれば、ｌは、０である。
【００６４】
本出願の一実施態様によれば、ｌは、０であり、Ｌ１は、フェニル基、ビフェニリル基、ナフチル基、またはアルキル基で置換もしくは非置換のフルオレニル基である。
【００６５】
本出願の一実施態様によれば、ｌは、０であり、Ｌ１は、フェニル基、ビフェニリル基、ナフチル基、またはジメチルフルオレニル基である。
【００６６】
本出願の一実施態様によれば、Ｒ'、Ａｒ９およびＡｒ１０は、アリール基である。
【００６７】
本出願の一実施態様によれば、Ｒ'、Ａｒ９およびＡｒ１０は、フェニル基である。
【００６８】
本出願の一実施態様によれば、ＸａおよびＸｂは、ＯまたはＳである。
【００６９】
本出願の一実施態様によれば、ｒおよびｑは、０である。
【００７０】
本出願の一実施態様によれば、前記化学式１は、下記具体例から選択されてもよい。
【化１１】
2020098916.tif 000013
【化１２】
2020098916.tif 000014
【化１３】
2020098916.tif 000015
【化１４】
2020098916.tif 000016
【化１５】
2020098916.tif 000017
【化１６】
2020098916.tif 000018
【化１７】
2020098916.tif 000019
【化１８】
2020098916.tif 000020
【化１９】
2020098916.tif 000021
【００７１】
本出願の一実施態様によれば、前記化学式２の化合物は、下記化学式１１で表されてもよい。
［化学式１１］
【化２０】
2020098916.tif 000022
化学式１１の置換基は、化学式２で定義した通りである。
【００７２】
本出願の一実施態様によれば、前記化学式２の化合物は、下記化学式１２で表されてもよい。
［化学式１２］
【化２１】
2020098916.tif 000023
化学式１２において、Ｒ３、Ｒ４、Ａｒ７、Ａｒ８、ｅおよびｆは、化学式２で定義した通りであり、Ｒ５は、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｘは、０〜８の整数であり、ｘが２以上の場合、Ｒ５は、互いに同一または異なる。
【００７３】
本出願の一実施態様によれば、前記化学式２の化合物は、下記化学式１３で表されてもよい。
［化学式１３］
【化２２】
2020098916.tif 000024
化学式１３の置換基は、化学式１２で定義した通りである。
【００７４】
本出願の一実施態様によれば、Ｒ１およびＲ２は、互いに同一または異なり、それぞれ独立に、アルキル基またはアリール基であるか、互いに結合してフルオレン基を形成する。
【００７５】
本出願の一実施態様によれば、Ｒ１およびＲ２は、互いに同一または異なり、それぞれ独立に、メチル基またはフェニル基であるか、互いに結合してフルオレン基を形成する。
【００７６】
本出願の一実施態様によれば、Ｒ１およびＲ２は、メチル基である。
【００７７】
本出願の一実施態様によれば、Ｒ１およびＲ２は、フェニル基である。
【００７８】
本出願の一実施態様によれば、Ｒ１は、メチル基であり、Ｒ２は、フェニル基である。
【００７９】
本出願の一実施態様によれば、Ｒ１およびＲ２は、互いに結合してフルオレン基を形成する。
【００８０】
本出願の一実施態様によれば、Ａｒ７およびＡｒ８は、互いに同一または異なり、それぞれ独立に、置換もしくは非置換のアリール基である。
【００８１】
本出願の一実施態様によれば、Ａｒ７およびＡｒ８は、互いに同一または異なり、それぞれ独立に、アルキル基で置換もしくは非置換のアリール基である。
【００８２】
本出願の一実施態様によれば、Ａｒ７およびＡｒ８は、互いに同一または異なり、それぞれ独立に、フェニル基、ビフェニリル基、アルキル基で置換もしくは非置換のフルオレニル基、またはトリフェニレニル基である。
【００８３】
本出願の一実施態様によれば、前記化学式２は、下記具体例から選択されてもよい。
【化２３】
2020098916.tif 000025
【化２４】
2020098916.tif 000026
【化２５】
2020098916.tif 000027
【化２６】
2020098916.tif 000028
【化２７】
2020098916.tif 000029
【化２８】
2020098916.tif 000030
【００８４】
本明細書の一実施態様によれば、前記化学式１または２の化合物は、当技術分野で知られている出発物質、反応条件を利用して製造される。置換基の種類および個数は、当業者が公知の出発物質を適宜選択することにより決定することができる。また、前記化学式１または２の化合物は、市販のものから入手可能である。
【００８５】
本明細書の一実施態様によれば、本明細書の有機発光素子は、有機物層として、第１有機物層、第２有機物層、および発光層だけを含んでもよいが、追加の有機物層をさらに含んでもよい。例えば、追加の正孔注入層、正孔輸送層、電子阻止層、発光層、正孔阻止層、電子輸送層、電子注入層などをさらに含んでもよい。
【００８６】
本明細書の一実施態様によれば、第１有機物層は、正孔輸送層としての役割を果たし、第２有機物層は、電子阻止層としての役割を果たすことができる。
【００８７】
本明細書の一実施態様によれば、第１有機物層と第２有機物層とは接して備えられる。
【００８８】
本明細書の一実施態様によれば、第２有機物層と発光層とは接して備えられる。
【００８９】
例えば、本明細書の有機発光素子の構造は、図１および図２に示されるような構造を有することができるが、これにのみ限定されるものではない。
【００９０】
図１には、基板１００上に、アノード１０１、第１有機物層２０１、第２有機物層２０２、発光層３０１、およびカソード４０１が順次に積層された有機発光素子の構造が例示されている。前記図１は、本明細書の一実施態様に係る有機発光素子の例示的な構造であり、他の有機物層をさらに含んでもよい。また、基板上に、カソード、発光層、第２有機物層、第１有機物層、およびアノードが順次に積層されてもよい。
【００９１】
図２には、図１の素子に比べて、発光層３０１とカソード４０１との間に電子輸送層５０１および電子注入層５０２が追加的に備えられる。前記図２は、本明細書の実施態様に係る例示的な構造であり、他の有機物層をさらに含んでもよく、電子輸送層または電子注入層が省略可能である。また、基板上に、カソード、電子注入層、電子輸送層、発光層、第２有機物層、第１有機物層、およびアノードが順次に積層されてもよい。
【００９２】
前記有機発光素子が複数の有機物層を含む場合、前記有機物層は、同一の物質または異なる物質で形成される。
【００９３】
例えば、本明細書の有機発光素子は、当技術分野で知られている材料および方法を利用して製造される。例えば、スパッタリング法（ｓｐｕｔｔｅｒｉｎｇ）や電子ビーム蒸発法（ｅ−ｂｅａｍ  ｅｖａｐｏｒａｔｉｏｎ）のような物理蒸着方法（ＰＶＤ：Ｐｈｙｓｉｃａｌ  Ｖａｐｏｒ  Ｄｅｐｏｓｉｔｉｏｎ）を利用して、基板上に金属または導電性を有する金属酸化物またはこれらの合金を蒸着させてアノードを形成し、その上に有機物層を形成した後、その上にカソードとして使用可能な物質を蒸着させることにより製造される。このような方法以外にも、基板上にカソード物質から有機物層、アノード物質を順に蒸着させて有機発光素子を作ることができる。また、前記化学式１または２で表される化合物は、有機発光素子の製造時、真空蒸着法のみならず、溶液塗布法によって有機物層に形成される。ここで、溶液塗布法とは、スピンコーティング、ディップコーティング、ドクターブレーディング、インクジェットプリンティング、スクリーンプリンティング、スプレー法、ロールコーティングなどを意味するが、これらにのみ限定されるものではない。
【００９４】
前記アノード物質としては、通常、有機物層に正孔注入が円滑となるように仕事関数の大きい物質が好ましい。本発明で使用可能なアノード物質の具体例としては、バナジウム、クロム、銅、亜鉛、金のような金属、またはこれらの合金；亜鉛酸化物、インジウム酸化物、インジウムスズ酸化物（ＩＴＯ）、インジウム亜鉛酸化物（ＩＺＯ）のような金属酸化物；ＺｎＯ：ＡｌまたはＳｎＯ２：Ｓｂのような金属と酸化物との組み合わせ；ポリ（３−メチルチオフェン）、ポリ［３，４−（エチレン−１，２−ジオキシ）チオフェン］（ＰＥＤＯＴ）、ポリピロールおよびポリアニリンのような導電性高分子などがあるが、これらにのみ限定されるものではない。
【００９５】
前記カソード物質としては、通常、有機物層に電子注入が容易となるように仕事関数の小さい物質であることが好ましい。カソード物質の具体例としては、マグネシウム、カルシウム、ナトリウム、カリウム、チタン、インジウム、イットリウム、リチウム、ガドリニウム、アルミニウム、銀、スズおよび鉛のような金属、またはこれらの合金；ＬｉＦ／ＡｌまたはＬｉＯ２／Ａｌ、Ｍｇ／Ａｇのような多層構造の物質などがあるが、これらにのみ限定されるものではない。
【００９６】
前記正孔注入層は、正孔注入物質としては電極から正孔を注入する層で、正孔注入物質としては、正孔を輸送する能力を有し、陽極からの正孔注入効果、発光層または発光材料に対して優れた正孔注入効果を有し、発光層で生成された励起子の電子注入層または電子注入材料への移動を防止し、また、薄膜形成能力の優れた化合物が好ましい。正孔注入物質のＨＯＭＯ（ｈｉｇｈｅｓｔ  ｏｃｃｕｐｉｅｄ  ｍｏｌｅｃｕｌａｒ  ｏｒｂｉｔａｌ）が陽極物質の仕事関数と周辺有機物層のＨＯＭＯとの間であることが好ましい。正孔注入物質の具体例としては、金属ポルフィリン（ｐｏｒｐｈｙｒｉｎ）、オリゴチオフェン、アリールアミン系の有機物、ヘキサニトリルヘキサアザトリフェニレン系の有機物、キナクリドン（ｑｕｉｎａｃｒｉｄｏｎｅ）系の有機物、ペリレン（ｐｅｒｙｌｅｎｅ）系の有機物、アントラキノンおよびポリアニリンとポリチオフェン系の導電性高分子などがあるが、これらにのみ限定されるものではない。
【００９７】
前記正孔輸送層は、正孔注入層から正孔を受け取って発光層まで正孔を輸送する層で、正孔輸送物質としては、陽極や正孔注入層から正孔輸送を受けて発光層に移しうる物質で、正孔に対する移動性の大きい物質が好適である。具体例としては、アリールアミン系の有機物、導電性高分子、および共役部分と非共役部分が共にあるブロック共重合体などがあるが、これらにのみ限定されるものではない。
【００９８】
前記発光層の発光物質としては、正孔輸送層と電子輸送層から正孔と電子の輸送をそれぞれ受けて結合させることにより可視光線領域の光を発しうる物質であって、蛍光や燐光に対する量子効率の良い物質が好ましい。具体例としては、８−ヒドロキシ−キノリンアルミニウム錯体（Ａｌｑ３）；カルバゾール系化合物；二量体化スチリル（ｄｉｍｅｒｉｚｅｄ  ｓｔｙｒｙｌ）化合物；ＢＡｌｑ；１０−ヒドロキシベンゾキノリン−金属化合物；ベンズオキサゾール、ベンゾチアゾールおよびベンズイミダゾール系の化合物；ポリ（ｐ−フェニレンビニレン）（ＰＰＶ）系の高分子；スピロ（ｓｐｉｒｏ）化合物；ポリフルオレン、ルブレンなどがあるが、これらにのみ限定されるものではない。
【００９９】
前記発光層は、ホスト材料およびドーパント材料を含むことができる。ホスト材料は、縮合芳香族環誘導体またはヘテロ環含有化合物などがある。具体的には、縮合芳香族環誘導体としては、アントラセン誘導体、ピレン誘導体、ナフタレン誘導体、ペンタセン誘導体、フェナントレン化合物、フルオランテン化合物などがあり、ヘテロ環含有化合物としては、カルバゾール誘導体、ジベンゾフラン誘導体、ラダー型フラン化合物、ピリミジン誘導体などがあるが、これらに限定されない。
【０１００】
前記ドーパント材料としては、芳香族アミン誘導体、スチリルアミン化合物、ホウ素錯体、フルオランテン化合物、金属錯体などがある。具体的には、芳香族アミン誘導体としては、置換もしくは非置換のアリールアミノ基を有する縮合芳香族環誘導体であって、アリールアミノ基を有するピレン、アントラセン、クリセン、ペリフランテンなどがあり、スチリルアミン化合物としては、置換もしくは非置換のアリールアミンに少なくとも１個のアリールビニル基が置換されている化合物で、アリール基、シリル基、アルキル基、シクロアルキル基、およびアリールアミノ基からなる群より１または２以上選択される置換基が置換もしくは非置換である。具体的には、スチリルアミン、スチリルジアミン、スチリルトリアミン、スチリルテトラアミンなどがあるが、これらに限定されない。また、金属錯体としては、イリジウム錯体、白金錯体などがあるが、これらに限定されない。
【０１０１】
前記電子輸送層の電子輸送物質としては、電子注入層から電子を受け取って発光層まで電子を輸送する層で、電子輸送物質としては、陰極から電子注入をよく受けて発光層に移しうる物質であって、電子に対する移動性の大きい物質が好適である。具体例としては、８−ヒドロキシキノリンのＡｌ錯体；Ａｌｑ３を含む錯体；有機ラジカル化合物；ヒドロキシフラボン−金属錯体などがあるが、これらにのみ限定されるものではない。電子輸送層は、従来技術により使用されているような、任意の所望するカソード物質と共に使用することができる。特に、適切なカソード物質の例は、低い仕事関数を有し、アルミニウム層またはシルバー層が後に続く通常の物質である。具体的には、セシウム、バリウム、カルシウム、イッテルビウム、およびサマリウムであり、各場合、アルミニウム層またはシルバー層が後に続く。
【０１０２】
前記電子注入層は、電極から電子を注入する層で、電子を輸送する能力を有し、陰極からの電子注入効果、発光層または発光材料に対して優れた電子注入効果を有し、発光層で生成された励起子の正孔注入層への移動を防止し、また、薄膜形成能力の優れた化合物が好ましい。具体的には、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントロンなどとそれらの誘導体、金属錯体化合物および含窒素５員環誘導体などがあるが、これらに限定されない。
【０１０３】
前記金属錯体化合物としては、８−ヒドロキシキノリナトリチウム、ビス（８−ヒドロキシキノリナト）亜鉛、ビス（８−ヒドロキシキノリナト）銅、ビス（８−ヒドロキシキノリナト）マンガン、トリス（８−ヒドロキシキノリナト）アルミニウム、トリス（２−メチル−８−ヒドロキシキノリナト）アルミニウム、トリス（８−ヒドロキシキノリナト）ガリウム、ビス（１０−ヒドロキシベンゾ［ｈ］キノリナト）ベリリウム、ビス（１０−ヒドロキシベンゾ［ｈ］キノリナト）亜鉛、ビス（２−メチル−８−キノリナト）クロロガリウム、ビス（２−メチル−８−キノリナト）（ｏ−クレゾラート）ガリウム、ビス（２−メチル−８−キノリナト）（１−ナフトラート）アルミニウム、ビス（２−メチル−８−キノリナト）（２−ナフトラート）ガリウムなどがあるが、これらに限定されない。
【０１０４】
本明細書に係る有機発光素子は、使用される材料によって、前面発光型、後面発光型、または両面発光型であってもよい。
【０１０５】
以下、本明細書を具体的に説明するために実施例を挙げて詳細に説明する。しかし、本明細書に係る実施例は種々の異なる形態に変形可能であり、本明細書の範囲が以下に詳述する実施例に限定されると解釈されない。本明細書の実施例は、当業界における平均的な知識を有する者に本明細書をより完全に説明するために提供されるものである。
【０１０６】
＜合成例＞
【化２９】
2020098916.tif 000031
【０１０７】
１）化合物Ｃの製造
窒素下の丸底フラスコに、化合物Ａ  １ｅｑ、化合物Ｂ  ２ｅｑ、Ｐｄ（ＰＰｈ３）４  ０．００２ｅｑ、Ｋ２ＣＯ３（ａｑ）  ２ｅｑ、ＴＨＦを一括投入して、１１０℃で還流撹拌した。反応溶液を室温まで冷却後に有機層を分離し、減圧乾燥して、カラムクロマトグラフィーで精製した。
【０１０８】
２）化合物Ｅの製造
窒素下の丸底フラスコに、化合物Ｃ  １ｅｑ、化合物Ｄ  ２ｅｑ、Ｐｄ（Ｐ−ｔＢｕ３）２  ０．００１ｅｑ、ＮａＯｔＢｕ  ２ｅｑ、Ｔｏｌｕｅｎｅを一括投入して、１１０℃で還流撹拌した。反応溶液を室温まで冷却後に有機層を分離し、減圧乾燥して、カラムクロマトグラフィーで精製した。
【０１０９】
３）化合物Ａ−１の製造
【化３０】
2020098916.tif 000032
【０１１０】
窒素下の丸底フラスコに、９−［１，１'−ｂｉｐｈｅｎｙｌ］−２−ｙｌ−３−ｂｒｏｍｏ−９Ｈ−Ｃａｒｂａｚｏｌｅ（ＣＡＳ＃１６０９２６７−０４−０）  １ｅｑを常温で撹拌する。０℃に冷却した後、ＮＢＳ  １ｅｑをＣＨＣｌ３に溶解させて、ｄｒｏｐｗｉｓｅ．ＮＢＳの投入が終わると、常温に上げてから１時間撹拌を維持する。反応が終わると、反応溶液を減圧乾燥して、カラムクロマトグラフィーで精製した。
【０１１１】
前記Ａ、Ｂ、ＤおよびＥは、下記表１の通りである。
［表１］
【表１】
2020098916.tif 000033
【表２】
2020098916.tif 000034
【表３】
2020098916.tif 000035
【表４】
2020098916.tif 000036
【０１１２】
＜比較例１＞
ＩＴＯ（ｉｎｄｉｕｍ  ｔｉｎ  ｏｘｉｄｅ）が１，０００Åの厚さに薄膜コーティングされたガラス基板を、洗剤を溶かした蒸留水に入れて超音波洗浄した。この時、洗剤としてはフィッシャー社（Ｆｉｓｃｈｅｒ  Ｃｏ．）製品を使用し、蒸留水としてはミリポア社（Ｍｉｌｌｉｐｏｒｅ  Ｃｏ．）製品のフィルタ（Ｆｉｌｔｅｒ）で２次濾過した蒸留水を使用した。ＩＴＯを３０分間洗浄した後、蒸留水で２回繰り返し超音波洗浄を１０分間進行させた。蒸留水洗浄が終わった後、イソプロピルアルコール、アセトン、メタノールの溶剤で超音波洗浄をし乾燥させた後、プラズマ洗浄機に輸送させた。また、酸素プラズマを用いて前記基板を５分間洗浄した後、真空蒸着機に基板を輸送させた。
【０１１３】
こうして用意されたＩＴＯ透明電極上に、下記化学式のヘキサニトリルヘキサアザトリフェニレン（ｈｅｘａａｚａｔｒｉｐｈｅｎｙｌｅｎｅ；ＨＡＴ）を５００Åの厚さに熱真空蒸着して正孔注入層を形成した。
［ＨＡＴ］
【化３１】
2020098916.tif 000037
【０１１４】
前記正孔注入層上に、正孔を輸送する物質である下記化合物Ｎ，Ｎ−ｂｉｓ（［１，１'−ｂｉｐｈｅｎｙｌ］−４−ｙｌ）−４'−（９Ｈ−ｃａｒｂａｚｏｌ−９−ｙｌ）−［１，１'−Ｂｉｐｈｅｎｙｌ］−４−ａｍｉｎｅ（ＨＴ１）（３００Å）を真空蒸着して正孔輸送層を形成した。
［ＨＴ１］
Ｎ，Ｎ−ｂｉｓ（［１，１'−ｂｉｐｈｅｎｙｌ］−４−ｙｌ）−４'−（９Ｈ−ｃａｒｂａｚｏｌ−９−ｙｌ）−［１，１'−Ｂｉｐｈｅｎｙｌ］−４−ａｍｉｎｅ
【化３２】
2020098916.tif 000038
【０１１５】
次に、前記正孔輸送層上に、膜厚さ１００Åに下記化合物トリス（４−９Ｈ−カルバゾール−９−イル）フェニル）アミン（ｔｒｉｓ（４−（９Ｈ−ｃａｒｂａｚｏｌ−９−ｙｌ）ｐｈｅｎｙｌ）ａｍｉｎｅ：ＴＣＴＡ）を真空蒸着して電子阻止層を形成した。
［ＴＣＴＡ］
【化３３】
2020098916.tif 000039
【０１１６】
次に、前記電子阻止層上に、膜厚さ３００Åに以下のようなＢＨとＢＤを２５：１の重量比で真空蒸着して発光層を形成した。
［ＢＨ］
【化３４】
2020098916.tif 000040
［ＢＤ］
【化３５】
2020098916.tif 000041
［ＥＴ１］
【化３６】
2020098916.tif 000042
［ＬｉＱ］
【化３７】
2020098916.tif 000043
【０１１７】
前記発光層上に、前記化合物ＥＴ１と前記化合物ＬｉＱ（Ｌｉｔｈｉｕｍ  Ｑｕｉｎｏｌａｔｅ）を１：１の重量比で真空蒸着して、３００Åの厚さに電子注入および輸送層を形成した。前記電子注入および輸送層上に、順次に、１２Åの厚さにリチウムフルオライド（ＬｉＦ）と２，０００Åの厚さにアルミニウムを蒸着して陰極を形成した。
【０１１８】
前記過程で、有機物の蒸着速度は０．４〜０．７Å／ｓｅｃを維持し、陰極のリチウムフルオライドは０．３Å／ｓｅｃ、アルミニウムは２Å／ｓｅｃの蒸着速度を維持し、蒸着時の真空度は２×１０−７〜５×１０−６ｔｏｒｒを維持して、有機発光素子を作製した。
【０１１９】
＜比較例１−２＞
前記比較例１−１における化合物ＴＣＴＡの代わりにＨ２−２を用いたことを除けば、比較例１−１と同様の方法で有機発光素子を作製した。
【０１２０】
＜比較例１−３＞
前記比較例１−１における化合物ＴＣＴＡを用いないことを除けば、比較例１−１と同様の方法で有機発光素子を作製した。
【０１２１】
＜比較例１−４＞
前記比較例１−１における化合物ＨＴ１を用いておらず、ＴＣＴＡの代わりにＨ２−２を用いたことを除けば、比較例１−１と同様の方法で有機発光素子を作製した。
【０１２２】
＜比較例１−５＞
前記比較例１−１における化合物ＨＴ１の代わりに前記化合物Ｈ−１−１を用いており、化合物ＴＣＴＡを用いないことを除けば、比較例１−１と同様の方法で有機発光素子を作製した。
【０１２３】
＜比較例１−６＞
前記比較例１−１における化合物ＨＴ１を用いておらず、化合物ＴＣＴＡの代わりにＨ２−４を用いたことを除けば、比較例１−１と同様の方法で有機発光素子を作製した。
【０１２４】
＜比較例１−７＞
前記比較例１−１における化合物ＨＴ１を用いておらず、化合物ＴＣＴＡの代わりにＨ２−６を用いたことを除けば、比較例１−１と同様の方法で有機発光素子を作製した。
【０１２５】
＜実験例１−１＞
前記比較例１における化合物ＨＴ１の代わりに前記化学式ＨＴ−１−１の化合物を用いたことを除けば、比較例１と同様の方法で有機発光素子を作製した。
【０１２６】
＜実験例１−２＞
前記比較例１における化合物ＨＴ１の代わりに前記化学式ＨＴ−１−２の化合物を用いたことを除けば、比較例１と同様の方法で有機発光素子を作製した。
【０１２７】
＜実験例１−３＞
前記比較例１における化合物ＨＴ１の代わりに前記化学式ＨＴ−１−３の化合物を用いたことを除けば、比較例１と同様の方法で有機発光素子を作製した。
【０１２８】
＜実験例１−４＞
前記比較例１における化合物ＨＴ１の代わりに前記化学式ＨＴ−１−４の化合物を用いたことを除けば、比較例１と同様の方法で有機発光素子を作製した。
【０１２９】
＜実験例１−５＞
前記比較例１における化合物ＨＴ１の代わりに前記化学式ＨＴ−１−５の化合物を用いたことを除けば、比較例１と同様の方法で有機発光素子を作製した。
【０１３０】
＜実験例１−６＞
前記比較例１における化合物ＨＴ１の代わりに前記化学式ＨＴ−１−６の化合物を用いたことを除けば、比較例１と同様の方法で有機発光素子を作製した。
【０１３１】
＜実験例１−７＞
前記比較例１における化合物ＨＴ１の代わりに前記化学式ＨＴ−１−７の化合物を用いたことを除けば、比較例１と同様の方法で有機発光素子を作製した。
【０１３２】
＜実験例１−８＞
前記比較例１における化合物ＨＴ１の代わりに前記化学式ＨＴ−１−８の化合物を用いたことを除けば、比較例１と同様の方法で有機発光素子を作製した。
【０１３３】
＜実験例１−９＞
前記比較例１における化合物ＨＴ１の代わりに前記化学式ＨＴ−１−９の化合物を用いたことを除けば、比較例１と同様の方法で有機発光素子を作製した。
【０１３４】
＜実験例１−１０＞
前記比較例１における化合物ＨＴ１の代わりに前記化学式ＨＴ−１−１０の化合物を用いたことを除けば、比較例１と同様の方法で有機発光素子を作製した。
【０１３５】
＜実験例１−１１＞
前記比較例１における化合物ＨＴ１の代わりに前記化学式ＨＴ−１−１１の化合物を用いたことを除けば、比較例１と同様の方法で有機発光素子を作製した。
【０１３６】
＜実験例１−１２＞
前記比較例１における化合物ＨＴ１の代わりに前記化学式ＨＴ−１−１２の化合物を用いたことを除けば、比較例１と同様の方法で有機発光素子を作製した。
【０１３７】
＜実験例１−１３＞
前記比較例１における化合物ＨＴ１の代わりに前記化学式ＨＴ−１−１３の化合物を用いたことを除けば、比較例１と同様の方法で有機発光素子を作製した。
【０１３８】
＜実験例１−１４＞
前記比較例１における化合物ＨＴ１の代わりに前記化学式ＨＴ−１−１４の化合物を用いたことを除けば、比較例１と同様の方法で有機発光素子を作製した。
【０１３９】
＜実験例１−１５＞
前記比較例１における化合物ＨＴ１の代わりに前記化学式ＨＴ−１−１５の化合物を用いたことを除けば、比較例１と同様の方法で有機発光素子を作製した。
【０１４０】
＜実験例１−１６＞
前記比較例１における化合物ＨＴ１の代わりに前記化学式ＨＴ−１−１６の化合物を用いたことを除けば、比較例１と同様の方法で有機発光素子を作製した。
【０１４１】
＜実験例１−１７＞
前記比較例１における化合物ＨＴ１の代わりに前記化学式ＨＴ−１−１７の化合物を用いたことを除けば、比較例１と同様の方法で有機発光素子を作製した。
【０１４２】
＜実験例１−１８＞
前記比較例１における化合物ＨＴ１の代わりに前記化学式ＨＴ−１−１８の化合物を用いたことを除けば、比較例１と同様の方法で有機発光素子を作製した。
【０１４３】
＜実験例１−１９＞
前記比較例１における化合物ＨＴ１の代わりに前記化学式ＨＴ−１−１９の化合物を用いたことを除けば、比較例１と同様の方法で有機発光素子を作製した。
【０１４４】
＜実験例１−２０＞
前記比較例１における化合物ＨＴ１の代わりに前記化学式ＨＴ−１−２０の化合物を用いたことを除けば、比較例１と同様の方法で有機発光素子を作製した。
【０１４５】
＜実験例１−２１＞
前記比較例１における化合物ＨＴ１の代わりに前記化学式ＨＴ−１−２１の化合物を用いたことを除けば、比較例１と同様の方法で有機発光素子を作製した。
【０１４６】
＜実験例１−２２＞
前記比較例１における化合物ＨＴ１の代わりに前記化学式ＨＴ−１−２２の化合物を用いたことを除けば、比較例１と同様の方法で有機発光素子を作製した。
【化３８】
2020098916.tif 000044
【化３９】
2020098916.tif 000045
【化４０】
2020098916.tif 000046
【０１４７】
その結果を下記表２に示した。
［表２］
【表５】
2020098916.tif 000047
【０１４８】
前記表２をみると、本明細書の一実施態様に係る有機発光素子は、前記化学式１および２で表される化合物をそれぞれ第１および第２有機物層に含むことにより、低い駆動電圧および寿命特性の向上を図ることができることが分かる。
【０１４９】
＜比較例１−８＞
ＩＴＯ（ｉｎｄｉｕｍ  ｔｉｎ  ｏｘｉｄｅ）が１，０００Åの厚さに薄膜コーティングされたガラス基板を、洗剤を溶かした蒸留水に入れて超音波洗浄した。この時、洗剤としてはフィッシャー社（Ｆｉｓｃｈｅｒ  Ｃｏ．）製品を使用し、蒸留水としてはミリポア社（Ｍｉｌｌｉｐｏｒｅ  Ｃｏ．）製品のフィルタ（Ｆｉｌｔｅｒ）で２次濾過した蒸留水を使用した。ＩＴＯを３０分間洗浄した後、蒸留水で２回繰り返し超音波洗浄を１０分間進行させた。蒸留水洗浄が終わった後、イソプロピルアルコール、アセトン、メタノールの溶剤で超音波洗浄をし乾燥させた後、プラズマ洗浄機に輸送させた。また、酸素プラズマを用いて前記基板を５分間洗浄した後、真空蒸着機に基板を輸送させた。
【０１５０】
こうして用意されたＩＴＯ透明電極上に前記化学式のヘキサニトリルヘキサアザトリフェニレン（ｈｅｘａａｚａｔｒｉｐｈｅｎｙｌｅｎｅ；ＨＡＴ）を５００Åの厚さに熱真空蒸着して正孔注入層を形成した。
【０１５１】
前記正孔注入層上に、正孔を輸送する物質である前記化合物Ｎ，Ｎ−ｂｉｓ（［１，１'−ｂｉｐｈｅｎｙｌ］−４−ｙｌ）−４'−（９Ｈ−ｃａｒｂａｚｏｌ−９−ｙｌ）−［１，１'−Ｂｉｐｈｅｎｙｌ］−４−ａｍｉｎｅ（ＨＴ１）（３００Å）を真空蒸着して正孔輸送層を形成した。
【０１５２】
次に、前記正孔輸送層上に、膜厚さ１００Åに前記化合物トリス（４−９Ｈ−カルバゾール−９−イル）フェニル）アミン（ｔｒｉｓ（４−（９Ｈ−ｃａｒｂａｚｏｌ−９−ｙｌ）ｐｈｅｎｙｌ）ａｍｉｎｅ：ＴＣＴＡ）を真空蒸着して電子阻止層を形成した。
【０１５３】
次に、前記正孔輸送層上に、緑色発光層として、ホストの下記化学式のＣＢＰに、ドーパントとして下記化学式のＩｒ（ｐｐｙ）３を１０重量％のドーピング濃度でドーピングして、３００Åの厚さに形成した。
［ＣＢＰ］
【化４１】
2020098916.tif 000048
［Ｉｒ（ｐｐｙ）３］
【化４２】
2020098916.tif 000049
【０１５４】
前記発光層上に、前記化合物ＥＴ１と前記化合物ＬｉＱ（Ｌｉｔｈｉｕｍ  Ｑｕｉｎｏｌａｔｅ）を１：１の重量比で真空蒸着して、３００Åの厚さに電子注入および輸送層を形成した。前記電子注入および輸送層上に、順次に、１２Åの厚さにリチウムフルオライド（ＬｉＦ）と２，０００Åの厚さにアルミニウムを蒸着して陰極を形成した。
【０１５５】
前記過程で、有機物の蒸着速度は０．４〜０．７Å／ｓｅｃを維持し、陰極のリチウムフルオライドは０．３Å／ｓｅｃ、アルミニウムは２Å／ｓｅｃの蒸着速度を維持し、蒸着時の真空度は２×１０−７〜５×１０−６ｔｏｒｒを維持して、有機発光素子を作製した。
【０１５６】
比較例１−９〜１−１４は、下記表３のように構成して、前記比較例１−８と同様に有機発光素子を作製した。
【０１５７】
＜実験例１−２３＞
前記比較例１−９における化合物ＨＴ１の代わりに前記化学式ＨＴ−１−１の化合物を用いたことを除けば、比較例１−９と同様の方法で有機発光素子を作製した。
【０１５８】
＜実験例１−２４＞
前記比較例１−９における化合物ＨＴ１の代わりに前記化学式ＨＴ−１−２の化合物を用いたことを除けば、比較例１−９と同様の方法で有機発光素子を作製した。
【０１５９】
＜実験例１−２５＞
前記比較例１−９における化合物ＨＴ１の代わりに前記化学式ＨＴ−１−３の化合物を用いたことを除けば、比較例１−９と同様の方法で有機発光素子を作製した。
【０１６０】
＜実験例１−２６＞
前記比較例１−９における化合物ＨＴ１の代わりに前記化学式ＨＴ−１−４の化合物を用いたことを除けば、比較例１−９と同様の方法で有機発光素子を作製した。
【０１６１】
＜実験例１−２７＞
前記比較例１−９における化合物ＨＴ１の代わりに前記化学式ＨＴ−１−５の化合物を用いたことを除けば、比較例１−９と同様の方法で有機発光素子を作製した。
【０１６２】
＜実験例１−２８＞
前記比較例１−９における化合物ＨＴ１の代わりに前記化学式ＨＴ−１−６の化合物を用いたことを除けば、比較例１−９と同様の方法で有機発光素子を作製した。
【０１６３】
＜実験例１−２９＞
前記比較例１−９における化合物ＨＴ１の代わりに前記化学式ＨＴ−１−７の化合物を用いたことを除けば、比較例１−９と同様の方法で有機発光素子を作製した。
【０１６４】
＜実験例１−３０＞
前記比較例１−９における化合物ＨＴ１の代わりに前記化学式ＨＴ−１−８の化合物を用いたことを除けば、比較例１−９と同様の方法で有機発光素子を作製した。
【０１６５】
＜実験例１−３１＞
前記比較例１−９における化合物ＨＴ１の代わりに前記化学式ＨＴ−１−９の化合物を用いたことを除けば、比較例１−９と同様の方法で有機発光素子を作製した。
【０１６６】
＜実験例１−３２＞
前記比較例１−９における化合物ＨＴ１の代わりに前記化学式ＨＴ−１−１０の化合物を用いたことを除けば、比較例１−９と同様の方法で有機発光素子を作製した。
【０１６７】
＜実験例１−３３＞
前記比較例１−９における化合物ＨＴ１の代わりに前記化学式ＨＴ−１−１１の化合物を用いたことを除けば、比較例１−９と同様の方法で有機発光素子を作製した。
【０１６８】
＜実験例１−３４＞
前記比較例１−９における化合物ＨＴ１の代わりに前記化学式ＨＴ−１−１２の化合物を用いたことを除けば、比較例１−９と同様の方法で有機発光素子を作製した。
【０１６９】
＜実験例１−３５＞
前記比較例１−９における化合物ＨＴ１の代わりに前記化学式ＨＴ−１−１３の化合物を用いたことを除けば、比較例１−９と同様の方法で有機発光素子を作製した。
【０１７０】
＜実験例１−３６＞
前記比較例１−９における化合物ＨＴ１の代わりに前記化学式ＨＴ−１−１４の化合物を用いたことを除けば、比較例１−９と同様の方法で有機発光素子を作製した。
【０１７１】
＜実験例１−３７＞
前記比較例１−９における化合物ＨＴ１の代わりに前記化学式ＨＴ−１−１５の化合物を用いたことを除けば、比較例１−９と同様の方法で有機発光素子を作製した。
【０１７２】
＜実験例１−３８＞
前記比較例１−９における化合物ＨＴ１の代わりに前記化学式ＨＴ−１−１６の化合物を用いたことを除けば、比較例１−９と同様の方法で有機発光素子を作製した。
【０１７３】
＜実験例１−３９＞
前記比較例１−９における化合物ＨＴ１の代わりに前記化学式ＨＴ−１−１７の化合物を用いたことを除けば、比較例１−９と同様の方法で有機発光素子を作製した。
【０１７４】
＜実験例１−４０＞
前記比較例１−９における化合物ＨＴ１の代わりに前記化学式ＨＴ−１−１８の化合物を用いたことを除けば、比較例１−９と同様の方法で有機発光素子を作製した。
【０１７５】
＜実験例１−４１＞
前記比較例１−９における化合物ＨＴ１の代わりに前記化学式ＨＴ−１−１９の化合物を用いたことを除けば、比較例１−９と同様の方法で有機発光素子を作製した。
【０１７６】
＜実験例１−４２＞
前記比較例１−９における化合物ＨＴ１の代わりに前記化学式ＨＴ−１−２０の化合物を用いたことを除けば、比較例１−９と同様の方法で有機発光素子を作製した。
【０１７７】
＜実験例１−４３＞
前記比較例１−９における化合物ＨＴ１の代わりに前記化学式ＨＴ−１−２１の化合物を用いたことを除けば、比較例１−９と同様の方法で有機発光素子を作製した。
【０１７８】
＜実験例１−４４＞
前記比較例１−９における化合物ＨＴ１の代わりに前記化学式ＨＴ−１−２２の化合物を用いたことを除けば、比較例１−９と同様の方法で有機発光素子を作製した。
【０１７９】
その結果を下記表３に示した。
［表３］
【表６】
2020098916.tif 000050
【０１８０】
前記表３をみると、本明細書の一実施態様に係る有機発光素子は、前記化学式１および２で表される化合物をそれぞれ第１および第２有機物層に含むことにより、低い駆動電圧および寿命特性の向上を図ることができることが分かる。
ここで、本実施形態に係る発明の例を項目として記載する。
［項目１］
カソードと、アノードと、前記カソードと前記アノードとの間に備えられた発光層と、前記アノードと前記発光層との間に備えられ、下記化学式１の化合物を含む第１有機物層と、前記第１有機物層と前記発光層との間に備えられ、下記化学式２の化合物を含む第２有機物層とを含む有機発光素子：
［化学式１］
【化１】
2020098916.tif 000051
化学式１において、
Ｌ１〜Ｌ３は、互いに同一または異なり、それぞれ独立に、直接結合；置換もしくは非置換のアリーレン基；または置換もしくは非置換のヘテロアリーレン基であり、ａ〜ｃは、それぞれ０〜３の整数であり、ａ〜ｃがそれぞれ２以上の場合、括弧内の構造は、互いに同一または異なり、
Ａｒ１〜Ａｒ６は、互いに同一または異なり、それぞれ独立に、置換もしくは非置換のアリール基；または置換もしくは非置換のヘテロアリール基であるか、Ａｒ１とＡｒ２；Ａｒ３とＡｒ４；Ａｒ５とＡｒ６；Ａｒ１とＬ１；Ａｒ３とＬ２；またはＡｒ５とＬ３とが互いに結合して単環もしくは多環の芳香族または脂肪族の炭化水素環またはヘテロ環を形成し、ｌ〜ｎは、それぞれ０〜２の整数であり、ｌ〜ｎがそれぞれ２の場合、括弧内の構造は、互いに同一または異なり、ｌ〜ｎがそれぞれ０の場合、Ｌ１〜Ｌ３にはそれぞれ−ＮＡｒ１Ａｒ２、−ＮＡｒ３Ａｒ４、および−ＮＡｒ５Ａｒ６の代わりに水素が結合し、
Ｘは、ＮＲ'；Ｏ；またはＳであり、ｐは、０または１であり、ｐが０の場合、Ｘに結合した２個の炭素が直接結合し、
ＲおよびＲ'は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基である。
［化学式２］
【化２】
2020098916.tif 000052
化学式２において、
Ａｒ７およびＡｒ８は、互いに同一または異なり、それぞれ独立に、置換もしくは非置換のアリール基；または置換もしくは非置換のヘテロアリール基であり、
Ｒ１およびＲ２は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であるか、互いに結合して単環もしくは多環の芳香族または脂肪族の炭化水素環またはヘテロ環を形成し、
Ｒ３およびＲ４は、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｅは、０〜４の整数であり、ｅが２以上の場合、Ｒ３は、互いに同一または異なり、ｆは、０〜３の整数であり、ｆが２以上の場合、Ｒ４は、互いに同一または異なる。
［項目２］
前記化学式１のｌ＋ｍ＋ｎは、１以上である、項目１に記載の有機発光素子。
［項目３］
前記化学式１のｍ＋ｎは、１以上である、項目１に記載の有機発光素子。
［項目４］
前記化学式１のｐは、０である、項目１から３のいずれか一項に記載の有機発光素子。
［項目５］
前記化学式１のａは、１〜３の整数である、項目１から４のいずれか一項に記載の有機発光素子。
［項目６］
前記化学式１において、−ＮＡｒ１Ａｒ２、−ＮＡｒ３Ａｒ４、および−ＮＡｒ５Ａｒ６のうちの少なくとも１つは、下記構造式で表されるものである、項目１から５のいずれか一項に記載の有機発光素子：
【化３】
2020098916.tif 000053
前記構造式において、
Ｘａは、ＮＲｃ；Ｏ；またはＳであり、ｒは、０または１であり、ｒが０の場合、Ｘａに結合した２個の炭素が直接結合し、
ＲａおよびＲｃは、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｇは、０〜８の整数であり、ｇが２以上の場合、Ｒａは、互いに同一または異なる。
［項目７］
前記化学式１は、下記化学式４で表されるものである、項目１に記載の有機発光素子：
［化学式４］
【化４】
2020098916.tif 000054
化学式４において、Ａｒ１、Ａｒ２、Ｌ１〜Ｌ３、Ｒ、Ｘ、ａ、ｂ、ｃ、ｄ、ｌおよびｐは、化学式１で定義した通りであり、
ＸａおよびＸｂは、互いに同一または異なり、それぞれ独立に、ＮＲｃ；Ｏ；またはＳであり、ｒおよびｑは、それぞれ０または１であり、ｒおよびｑがそれぞれ０の場合、ＸａおよびＸｂそれぞれに結合した２個の炭素が直接結合し、
Ｒａ〜Ｒｃは、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｇおよびｈは、それぞれ０〜８の整数であり、ｇまたはｈが２以上の場合、括弧内の構造は、互いに同一または異なる。
［項目８］
前記化学式１において、−（Ｌ１）ａ−ＮＡｒ１Ａｒ２、−（Ｌ２）ｂ−ＮＡｒ３Ａｒ４、および−（Ｌ３）ｃ−ＮＡｒ５Ａｒ６のうちの少なくとも１つは、下記構造式で表されるものである、項目１に記載の有機発光素子：
【化５】
2020098916.tif 000055
前記構造式において、Ｌ４は、直接結合；置換もしくは非置換のアリーレン基；または置換もしくは非置換のヘテロアリーレン基であり、ｉは、０〜２の整数であり、ｉが２の場合、Ｌ４は、互いに同一または異なり、Ａｒ９は、置換もしくは非置換のアリール基；または置換もしくは非置換のヘテロアリール基であり、Ｒｄは、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｋは、０〜７の整数であり、ｋが２以上の場合、Ｒｄは、互いに同一または異なる。
［項目９］
前記化学式１は、下記化学式６で表されるものである、項目１に記載の有機発光素子：
［化学式６］
【化６】
2020098916.tif 000056
化学式６において、
Ｌ４およびＬ５は、互いに同一または異なり、それぞれ独立に、直接結合；置換もしくは非置換のアリーレン基；または置換もしくは非置換のヘテロアリーレン基であり、ｉおよびｊは、それぞれ０〜２の整数であり、ｉおよびｊがそれぞれ２の場合、括弧内の構造は、互いに同一または異なり、Ａｒ９およびＡｒ１０は、互いに同一または異なり、独立に、置換もしくは非置換のアリール基；または置換もしくは非置換のヘテロアリール基であり、ＲｄおよびＲｅは、互いに同一または異なり、それぞれ独立に、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｋおよびｏは、それぞれ０〜７の整数であり、ｋまたはｏが２以上の場合、括弧内の構造は、互いに同一または異なる。
［項目１０］
前記化学式１において、ｌは、０であり、Ｌ１は、フェニル基、ビフェニリル基、ナフチル基、またはアルキル基で置換もしくは非置換のフルオレニル基である、項目１から９のいずれか一項に記載の有機発光素子。
［項目１１］
前記化学式１は、下記具体例から選択されるものである、項目１に記載の有機発光素子：
【化７】
2020098916.tif 000057
【化８】
2020098916.tif 000058
【化９】
2020098916.tif 000059
【化１０】
2020098916.tif 000060
【化１１】
2020098916.tif 000061
【化１２】
2020098916.tif 000062
【化１３】
2020098916.tif 000063
【化１４】
2020098916.tif 000064
【化１５】
2020098916.tif 000065
。
［項目１２］
前記化学式２は、下記化学式１１で表されるものである、項目１に記載の有機発光素子：
［化学式１１］
【化１６】
2020098916.tif 000066
化学式１１の置換基は、化学式２で定義した通りである。
［項目１３］
前記化学式２は、下記化学式１２で表されるものである、項目１に記載の有機発光素子：
［化学式１２］
【化１７】
2020098916.tif 000067
化学式１２において、Ｒ３、Ｒ４、Ａｒ７、Ａｒ８、ｅおよびｆは、化学式２で定義した通りであり、Ｒ５は、水素；重水素；ニトリル基；置換もしくは非置換のアルキル基；置換もしくは非置換のシクロアルキル基；置換もしくは非置換のアルコキシ基；置換もしくは非置換のアリールオキシ基；置換もしくは非置換のアルケニル基；置換もしくは非置換のシリル基；置換もしくは非置換のアミン基；置換もしくは非置換のアリール基；または置換もしくは非置換のヘテロアリール基であり、ｘは、０〜８の整数であり、ｘが２以上の場合、Ｒ５は、互いに同一または異なる。
［項目１４］
前記化学式２は、下記具体例から選択されるものである、項目１に記載の有機発光素子：
【化１８】
2020098916.tif 000068
【化１９】
2020098916.tif 000069
【化２０】
2020098916.tif 000070
【化２１】
2020098916.tif 000071
【化２２】
2020098916.tif 000072
【化２３】
2020098916.tif 000073
。
［項目１５］
前記第１有機物層は、正孔輸送層であり、前記第２有機物層は、電子阻止層である、項目１から１４のいずれか一項に記載の有機発光素子。
【符号の説明】
【０１８１】
１００：基板
１０１：アノード
２０１：第１有機物層
２０２：第２有機物層
３０１：発光層
４０１：カソード
５０１：電子輸送層
５０２：電子注入層
【図１】
2020098916.tif 000089
【図２】
2020098916.tif 000090
【外国語明細書】
2020098916000001.pdf